【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
梱包箱と、この梱包箱の中に配置され中央部に凹部を有する梱包緩衝部材と、この梱包緩衝部材の凹部に配置された中箱と、この中箱に収容された被梱包物と、を備え、前記梱包緩衝部材の凹部の底面を構成する凹部底面は可動構造をなしていることを特徴とする梱包物。
【請求項２】
請求項１に記載の梱包物において、前記梱包箱、前記梱包緩衝部材及び前記中箱はいずれも紙系材料からなることを特徴とする梱包物
【請求項３】
請求項１乃至２のいずれかに記載の梱包物において、前記梱包緩衝部材は、前記凹部が形成された凹部形成面から上部に突出する肩部を有してなることを特徴とする梱包物。
【請求項４】
請求項１乃至３のいずれかに記載の梱包物において、前記梱包緩衝部材は、前記凹部が形成された凹部形成面の両側に切り欠き部を有してなることを特徴とする梱包物。
【請求項５】
請求項４に記載の梱包物において、前記切り欠き部には切り込みが形成されてなることを特徴とする梱包物。
【請求項６】
請求項１乃至５のいずれかに記載の梱包物において、前記梱包緩衝部材は、前記凹部の側面を構成する凹部側面に切り欠き部を有してなることを特徴とする梱包物。
【請求項７】
請求項１乃至６のいずれかに記載の梱包物において、前記梱包緩衝部材は、この梱包緩衝部材の底面から下部に突出する足部を、この底面の４つの辺のそれぞれについて１つづつ有してなることを特徴とする梱包物。
【請求項８】
請求項１乃至７のいずれかに記載の梱包物において、前記被梱包物はプロジェクタの交換ランプであることを特徴とする梱包物。
【請求項９】
請求項８に記載の梱包物において、前記中箱には、前記プロジェクタの交換ランプに加えて包装されたフィルタが収容されてなることを特徴とする梱包物。
【請求項１０】
プロジェクタの交換ランプを紙系材料からなる中箱に収容し、この中箱をダンボールからなる梱包緩衝部材の凹部に配置し、この梱包緩衝部材をダンボールからなる梱包箱に配置した後に、この梱包箱の蓋を閉じることを特徴とする梱包方法。
【請求項１１】
請求項１に記載の梱包箱に用いるための中央部に凹部を有する梱包緩衝部材であって、この梱包緩衝部材は１枚のダンボールから組み立てられた梱包緩衝部材であるとともに、この梱包緩衝部材の凹部の底を構成する凹部底面が可動構造をなしていることを特徴とする梱包緩衝部材。
【手続補正２】
【補正対象書類名】明細書
【補正対象項目名】０００８
【補正方法】変更
【補正の内容】
【０００８】  
【課題を解決するための手段】
（１）本発明の梱包物は、梱包箱と、この梱包箱の中に配置され中央部に凹部を有する梱包緩衝部材と、この梱包緩衝部材の凹部に配置された中箱と、この中箱に収容された被梱包物と、を備え、前記梱包緩衝部材の凹部の底面を構成する凹部底面は可動構造をなしていることを特徴とする。
【手続補正３】
【補正対象書類名】明細書
【補正対象項目名】０００９
【補正方法】変更
【補正の内容】
【０００９】
このため、本発明の梱包物は、被梱包物を一旦中箱に収容し、この中箱をさらに梱包緩衝部材に配置してから梱包箱に配置するようにしたため、梱包緩衝部材の凹部で中箱（ひいては被梱包物）をより均一に保持することができるようになり、また、梱包物が落下した場合に、梱包緩衝部材の凹部に配置されている中箱が、可動状態となるため、主として横方向の緩衝作用が高まり、梱包物が落下した場合の耐衝撃性が強化されるという効果が得られている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（３）上記（１）乃至（２）のいずれかに記載の梱包物においては、前記梱包緩衝部材は、前記凹部が形成された凹部形成面から上部に突出する肩部を有してなることが好ましい。
【手続補正７】
【補正対象書類名】明細書
【補正対象項目名】００１６
【補正方法】変更
【補正の内容】
【００１６】
（４）上記（１）乃至（３）のいずれかに記載の梱包物においては、前記梱包緩衝部材は、前記凹部が形成された凹部形成面の両側に切り欠き部を有してなることが好ましい。
【手続補正８】
【補正対象書類名】明細書
【補正対象項目名】００１８
【補正方法】変更
【補正の内容】
【００１８】
（５）上記（４）に記載の梱包物においては、前記切り欠き部には切り込みが形成されてなることが好ましい。
【手続補正９】
【補正対象書類名】明細書
【補正対象項目名】００２０
【補正方法】変更
【補正の内容】
【００２０】
（６）上記（１）乃至（５）のいずれかに記載の梱包物においては、前記梱包緩衝部材は、前記凹部の側面を構成する凹部側面に切り欠き部を有してなることが好ましい。
【手続補正１０】
【補正対象書類名】明細書
【補正対象項目名】００２２
【補正方法】変更
【補正の内容】
【００２２】
（７）上記（１）乃至（６）のいずれかに記載の梱包物においては、前記梱包緩衝部材は、この梱包緩衝部材の底面から下部に突出する足部を、この天面の４つの辺のそれぞれについて１つづつ有してなることが好ましい。
【手続補正１１】
【補正対象書類名】明細書
【補正対象項目名】００２４
【補正方法】変更
【補正の内容】
【００２４】
（８）上記（１）乃至（７）のいずれかに記載の梱包物においては、前記被梱包物はプロジェクタの交換ランプであることができる。
【手続補正１２】
【補正対象書類名】明細書
【補正対象項目名】００２６
【補正方法】変更
【補正の内容】
【００２６】
（９）上記（８）に記載の梱包物においては、前記中箱には、前記プロジェクタの交換ランプに加えて包装されたフィルタが収容されてなることが好ましい。
【手続補正１３】
【補正対象書類名】明細書
【補正対象項目名】００２８
【補正方法】変更
【補正の内容】
【００２８】
（１０）本発明の梱包方法は、プロジェクタの交換ランプを紙系材料からなる中箱に収容し、この中箱をダンボールからなる梱包緩衝部材の凹部に配置し、この梱包緩衝部材をダンボールからなる梱包箱に配置した後に、この梱包箱の蓋を閉じることを特徴とする。
【手続補正１４】
【補正対象書類名】明細書
【補正対象項目名】００３０
【補正方法】変更
【補正の内容】
【００３０】
（１１）本発明の梱包緩衝部材は、上記（１）に記載の梱包箱に用いるための中央部に凹部を有する梱包緩衝部材であって、この梱包緩衝部材は１枚のダンボールから組み立てられた梱包緩衝部材であるとともに、この梱包緩衝部材の凹部の底部が可動構造をなしていることを特徴とする。
【手続補正１５】
【補正対象書類名】明細書
【補正対象項目名】００４１
【補正方法】変更
【補正の内容】
【００４１】
さらに、梱包緩衝部材１２０における切り欠き部１２５には切り込み１２５Ｋが形成されている。このため、梱包緩衝部材１２０自体の強度がさらに弱められ、その結果、小型・軽量化された部品に対しても十分な緩衝作用が得られるため、梱包物１００が落下した場合の耐衝撃性がさらに強化されている。
【手続補正１６】
【補正対象書類名】明細書
【補正対象項目名】００４４
【補正方法】変更
【補正の内容】
【００４４】
また、中箱１３０には、プロジェクタの交換ランプＰに加えて包装されたフィルタＰ１が収容されている。このため、この包装されたフィルタＰ１の緩衝作用により中箱１３０の緩衝作用が高まり、梱包物１００が落下した場合の耐衝撃性がさらに強化されている。
【手続補正１７】
【補正対象書類名】明細書
【補正対象項目名】００４５
【補正方法】変更
【補正の内容】
【００４５】
図４は、本発明の実施の形態に係る梱包箱の組立図である。図１及びこの図４を用いて、本発明の実施の形態における梱包方法を説明する。まず、プロジェクタの交換ランプＰを包装されたフィルタＰ１とともに中箱１３０に入れる。次に、プロジェクタの交換ランプＰの後端部を開口部１３３に入れた状態で内蓋１３１を閉じ、さらに蓋１３２を閉じる。次に、この中箱１３０を梱包緩衝部材１２０の凹部１２１に配置する。次に、この梱包緩衝部材１２０を梱包箱１１０に入れた後に、この梱包箱１１０のフラップ１１１を閉じ、付属品のドライバなどをフラップ１１１の上に置いてテープで固定した後に、蓋１１２を閉じる。以上の工程により、梱包物１００が組み立てられる。